(57)【要約】【課題】コマ送り表示中にユーザが所望の画像か否かを見分けることを容易にするとともに、ユーザが所望の画像でコマ送り表示を停止することを容易にする画像表示装置、及び画像表示方法を提供する。【解決手段】被写体を撮影して得られた画像を示すとともに、該被写体を撮影した撮影時刻を示す画像情報が記憶された記憶手段と、前記記憶手段により記憶された画像情報が示す画像を表示する表示手段と、複数の前記画像情報が示す画像を一つずつ予め定められた表示時間だけ前記表示手段により表示するように制御する表示制御手段と、前記複数の画像情報に関連する各々の画像情報毎に設けられた画像関連情報に基づき前記画像毎に前記表示時間を決定する表示時間決定手段と、を有する。【選択図】図４
2009088578.tif 000002
【特許請求の範囲】
【請求項１】
被写体を撮影して得られた画像を示すとともに、該被写体を撮影した撮影時刻を示す画像情報が記憶された記憶手段と、
前記記憶手段により記憶された画像情報が示す画像を表示する表示手段と、
複数の前記画像情報が示す画像を一つずつ予め定められた表示時間だけ前記表示手段により表示するように制御する表示制御手段と、
前記複数の画像情報に関連する各々の画像情報毎に設けられた画像関連情報に基づき前記画像毎に前記表示時間を決定する表示時間決定手段と、
を有する画像表示装置。
【請求項２】
前記画像関連情報は、前記表示手段により表示されている画像の撮影時刻と、次に前記表示手段により表示される画像の撮影時刻との時間間隔を示すものであり、
前記表示時間決定手段は、前記時間間隔が長いほど、前記表示時間を長くするように決定する請求項１に記載の画像表示装置。
【請求項３】
前記画像関連情報は、前記撮影時刻により定まる前記複数の画像情報が撮影された期間を示すものであり、
前記表示時間決定手段は、前記期間が長いほど、前記表示時間を短くするように決定する請求項１に記載の画像表示装置。
【請求項４】
前記画像関連情報は、前記撮影時刻により定まる前記複数の画像情報が撮影された間隔の平均時間を示すものであり、
前記表示時間決定手段は、前記平均時間が長いほど、前記表示時間を長くするように決定する請求項１に記載の画像表示装置。
【請求項５】
前記画像関連情報は、前記記憶手段により記憶された画像情報の数を示すものであり、
前記表示時間決定手段は、前記画像情報の数が多いほど、前記表示時間を短くするように決定する請求項１に記載の画像表示装置。
【請求項６】
前記画像関連情報は、各画像情報の重要度を示すものであり、
前記表示時間決定手段は、前記画像関連情報に示された重要度が高いほど、前記表示時間を長くするように決定する請求項１に記載の画像表示装置。
【請求項７】
前記複数の画像情報はグループ分けされており、前記画像関連情報は前記グループ毎に定められた情報である請求項１〜請求項６のいずれか１項に記載の画像表示装置。
【請求項８】
前記表示手段による前記画像の表示中に、当該画像の表示を中止して、次に表示する画像を前記表示手段により表示させる制御を行うスキップ処理の実行を指示するユーザからの入力を受け付ける受付手段を更に有し、
前記表示制御手段は、前記受付手段に前記スキップ処理の実行の指示が受け付けられると前記スキップ処理を実行する請求項１〜請求項７のいずれか１項に記載の画像表示装置。
【請求項９】
前記表示制御手段は、前記スキップ処理の存在を前記表示手段により前記ユーザに明示する請求項８に記載の画像表示装置。
【請求項１０】
被写体を撮影して得られた画像を示すとともに、該被写体を撮影した撮影時刻を示す画像情報が記憶された記憶手段により記憶された画像情報が示す画像を表示する表示手段により、複数の前記画像情報が示す画像を一つずつ表示時間だけ表示するように制御する表示制御段階と、
前記複数の画像情報に関連する各々の画像情報毎に設けられた画像関連情報に基づき前記画像毎に前記表示時間を決定する表示時間決定段階と、
を有する画像表示方法。
【発明の詳細な説明】
【技術分野】
【０００１】
本発明は、画像表示装置、及び画像表示方法に関し、特に静止画像を画像毎に予め定められた表示時間だけコマ送り表示する画像表示装置、及び画像表示方法に関する。
【背景技術】
【０００２】
静止画像を一つずつ画像毎に予め定められた表示時間だけ連続してコマ送り表示する技術がある。この技術に関連して、特許文献１には、静止画像の早送り中に静止画像に対応づけられた所定の情報を検出したとき、画像の早送りを所定時間一時停止して表示する技術が開示されている。この特許文献１に開示された技術では、注目画像として指定された、或いは条件にあった画像のみ設定時間だけ停止し、その前後の画像を含む注目画像以外の画像についての表示時間については考慮されていない。
【０００３】
また、特許文献２には、複数静止画をコマ送り再生する手順を書き換え可能に記憶する再生手順記憶手段を持ち、コマ送り再生する静止画像のうちの所定静止画像で連続再生を行うことができる静止画映像再生装置が開示されている。この特許文献２に開示された技術では、再生させる複数枚の静止画像全てにおいて、再生手順を設定しその設定内容に従って連続再生を行っている。
【０００４】
更に特許文献３には、撮影時に、各コマの撮影時間を記録しておき、再生には、記録されている撮影時間間隔毎に基づいて静止画像を再生出力する技術が開示されている。この特許文献３に開示された技術では、一つの画像の再生時間が長くなりすぎる場合について考慮されていない。
【特許文献１】特開平１１−３４１４０５号公報
【特許文献２】特開平４−１３３８８号公報
【特許文献３】特開２００２−２１８３２１号公報
【発明の開示】
【発明が解決しようとする課題】
【０００５】
このような技術背景において、コマ送り表示をする場合には、ユーザが所望の画像か否かを見分けることは難しいという問題点がある。更に、ユーザが所望の画像を見分けられたとしても、その画像でコマ送り表示を停止することが困難であるという問題点もある。
【０００６】
本発明は上記問題点に鑑み、コマ送り表示中にユーザが所望の画像か否かを見分けることを容易にするとともに、ユーザが所望の画像でコマ送り表示を停止することを容易にする画像表示装置、及び画像表示方法を提供することを目的とする。
【課題を解決するための手段】
【０００７】
上記目的を達成するために、請求項１の発明は、被写体を撮影して得られた画像を示すとともに、該被写体を撮影した撮影時刻を示す画像情報が記憶された記憶手段と、前記記憶手段により記憶された画像情報が示す画像を表示する表示手段と、複数の前記画像情報が示す画像を一つずつ予め定められた表示時間だけ前記表示手段により表示するように制御する表示制御手段と、前記複数の画像情報に関連する各々の画像情報毎に設けられた画像関連情報に基づき前記画像毎に前記表示時間を決定する表示時間決定手段と、を有する。
【０００８】
ここで、請求項１に記載の発明では、記憶手段は、被写体を撮影して得られた画像を示すとともに、該被写体を撮影した撮影時刻を示す画像情報を記憶し、表示手段は記憶手段により記憶された画像情報が示す画像を表示し、表示制御手段は、複数の前記画像情報が示す画像を一つずつ予め定められた表示時間だけ前記表示手段により表示するように制御し、表示時間決定手段は、前記複数の画像情報に関連する各々の画像情報毎に設けられた画像関連情報に基づき前記画像毎に前記表示時間を決定するので、コマ送り表示中にユーザが所望の画像か否かを見分けることを容易にするとともに、ユーザが所望の画像でコマ送り表示を停止することを容易にする画像表示装置を提供することができる。
【０００９】
また、請求項２の発明は、前記画像関連情報は、前記表示手段により表示されている画像の撮影時刻と、次に前記表示手段により表示される画像の撮影時刻との時間間隔を示すものであり、前記表示時間決定手段は、前記時間間隔が長いほど、前記表示時間を長くするように決定するものである。
【００１０】
請求項２の発明によれば、上記時間間隔に応じて表示時間を決定することができる。
【００１１】
また、請求項３の発明は、前記画像関連情報は、前記撮影時刻により定まる前記複数の画像情報が撮影された期間を示すものであり、前記表示時間決定手段は、前記期間が長いほど、前記表示時間を短くするように決定するものである。
【００１２】
請求項３の発明によれば、上記期間に応じて表示時間を決定することができる。
【００１３】
また、請求項４の発明は、前記画像関連情報は、前記撮影時刻により定まる前記複数の画像情報が撮影された間隔の平均時間を示すものであり、前記表示時間決定手段は、前記平均時間が長いほど、前記表示時間を長くするように決定するものである。
【００１４】
請求項４の発明によれば、上記平均時間に応じて表示時間を決定することができる。
【００１５】
また、請求項５の発明は、前記画像関連情報は、前記記憶手段により記憶された画像情報の数を示すものであり、前記表示時間決定手段は、前記画像情報の数が多いほど、前記表示時間を短くするように決定するものである。
【００１６】
請求項５の発明によれば、上記画像情報の数に応じて表示時間を決定することができる。
【００１７】
また、請求項６の発明は、前記画像関連情報は、各画像情報の重要度を示すものであり、前記表示時間決定手段は、前記画像関連情報に示された重要度が高いほど、前記表示時間を長くするように決定するものである。
【００１８】
請求項６の発明によれば、上記重要度に応じて表示時間を決定することができる。
【００１９】
また、請求項７の発明は、前記複数の画像情報はグループ分けされており、前記画像関連情報は前記グループ毎に定められた情報である。
【００２０】
請求項７の発明によれば、ユーザは画像情報をイベント毎にグループ分けすることが多いため、グループ毎に画像関連情報を定めることは有効である。
【００２１】
また、請求項８の発明は、前記表示手段による前記画像の表示中に、当該画像の表示を中止して、次に表示する画像を前記表示手段により表示させる制御を行うスキップ処理の実行を指示するユーザからの入力を受け付ける受付手段を更に有し、前記表示制御手段は、前記受付手段に前記スキップ処理の実行の指示が受け付けられると前記スキップ処理を実行するものである。
【００２２】
請求項８の発明によれば、ユーザにより画像をスキップさせることも可能であるので、利便性を高めることができる。
【００２３】
また、請求項９の発明は、前記表示制御手段は、前記スキップ処理の存在を前記表示手段により前記ユーザに明示するものである。
【００２４】
請求項９の発明によれば、ユーザにスキップ処理が可能であることを明示することができる。
【００２５】
上記目的を達成するために、請求項１０の発明は、被写体を撮影して得られた画像を示すとともに、該被写体を撮影した撮影時刻を示す画像情報が記憶された記憶手段により記憶された画像情報が示す画像を表示する表示手段により、複数の前記画像情報が示す画像を一つずつ表示時間だけ表示するように制御する表示制御段階と、前記複数の画像情報に関連する各々の画像情報毎に設けられた画像関連情報に基づき前記画像毎に前記表示時間を決定する表示時間決定段階と、を有する。
【００２６】
請求項１０の発明は、請求項１の発明と同様に作用するため、請求項１の発明と同様の効果が得られる。
【発明の効果】
【００２７】
本発明によれば、コマ送り表示中にユーザが所望の画像か否かを見分けることを容易にするとともに、ユーザが所望の画像でコマ送り表示を停止することを容易にする画像表示装置、及び画像表示方法を提供することができるという効果が得られる。
【発明を実施するための最良の形態】
【００２８】
以下、図面を参照して、本発明の実施の形態について詳細に説明する。なお、本実施の形態では、画像表示装置をデジタルカメラとした実施例、及びこのデジタルカメラでの画像表示方法を示す実施例について説明する。
【００２９】
まず、図１を参照して、本実施の形態に係るデジタルカメラ１０の外観上の構成を説明する。デジタルカメラ１０の正面には、被写体像を結像させるための光学部材であるレンズ２１と、撮影する被写体の構図を決定するために用いられるファインダ２０と、ストロボ４４と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００３０】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３１】
そして、デジタルカメラ１０では、レリーズボタン５６Ａを半押し状態にすることにより被写体の明るさが測光され、測光された被写体の明るさに基づきＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００３２】
一方、デジタルカメラ１０の背面には、前述のファインダ２０の接眼部と、撮影された被写体像やメニュー画面等を表示するための上記ＬＣＤ３８と、撮影を行うモードである撮影モード及び撮影によって得られた被写体像をＬＣＤ３８に再生表示するモードである再生モードの何れかのモードに設定する際にスライド操作されるモード切替スイッチ５６Ｃと、が備えられている。
【００３３】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００３４】
なお、十字カーソルボタン５６Ｄは、ＬＣＤ３８の表示領域における上・下・左・右の４方向の移動方向を示す４つの矢印キーと、それら矢印キーの中央に存在する決定キーとを含んで構成されている。
【００３５】
次に、図２を参照して、本実施の形態に係るデジタルカメラ１０の電気系の構成を説明する。
【００３６】
デジタルカメラ１０は、前述のレンズ２１を含んで構成された光学ユニット２２と、レンズ２１の光軸後方に配設された撮像素子である電荷結合素子（以下、「ＣＣＤ」という。）２４と、入力されたアナログ信号に対して各種のアナログ信号処理を行うアナログ信号処理部２６と、を含んで構成されている。
【００３７】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３８】
なお、デジタル信号処理部３０は、所定容量のラインバッファを内蔵し、入力されたデジタルデータを後述するメモリ４８の所定領域に直接記憶させる制御も行う。
【００３９】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４０】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ４０と、撮影により得られたデジタル画像データ等を記憶するメモリ４８と、メモリ４８に対するアクセスの制御を行うメモリインタフェース４６と、を含んで構成されている。なお、本実施の形態では、上記アナログ信号及びデジタル画像データを画像情報としている。
【００４１】
更に、デジタルカメラ１０は、可搬型のメモリカード５２をデジタルカメラ１０でアクセス可能とするための外部メモリインタフェース５０と、デジタル画像データに対する圧縮処理及び伸長処理を行う圧縮・伸長処理回路５４と、を含んで構成されている。
【００４２】
なお、本実施の形態のデジタルカメラ１０では、メモリ４８としてＶＲＡＭ（Video RAM）、ＳＲＡＭ又はＤＲＡＭ、フラッシュメモリのうちのいずれか１つ以上が用いられ、メモリカード５２としてスマートメディア（Smart Media(登録商標)）が用いられている。
【００４３】
デジタル信号処理部３０、ＬＣＤインタフェース３６、ＣＰＵ４０、メモリインタフェース４６、外部メモリインタフェース５０、及び圧縮・伸長処理回路５４はシステムバスＢＵＳを介して相互に接続されている。従って、ＣＰＵ４０は、デジタル信号処理部３０の作動の制御、圧縮・伸長処理回路５４の作動の制御、ＬＣＤ３８に対するＬＣＤインタフェース３６を介した各種情報の表示、メモリ４８及びメモリカード５２へのメモリインタフェース４６、及び外部メモリインタフェース５０を介したアクセスを各々行うことができる。
【００４４】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。また後述する電子シャッタの直接的な制御は、このタイミングジェネレータ３２により行われる。
【００４５】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４６】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００４７】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４８】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４９】
次に、本実施の形態に係るデジタルカメラ１０の撮影時における全体的な動作について簡単に説明する。
【００５０】
まず、ＣＣＤ２４は、光学ユニット２２を介した撮影を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５１】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５２】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００５３】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５４】
なお、ＬＣＤ３８は、ＣＣＤ２４による連続的な撮影によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５５】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸長処理回路５４によって所定の圧縮形式（本実施の形態では、ＪＰＥＧ形式）で圧縮した後に外部メモリインタフェース５０を介してメモリカード５２に画像情報として記録する。本実施の形態における画像情報は、被写体を撮影した撮影時刻を示す撮影時刻を示すものとなっている。
【００５６】
次に、複数の画像情報に関連する各々の画像情報毎に設けられた画像関連情報について説明する。本実施の形態において、画像関連情報が示すものには、撮影間隔、重要度、画像枚数、撮影期間、平均撮影時間がある。
【００５７】
このうち、撮影間隔は、撮影時刻により定まるもので、ＬＣＤ３８により表示されている画像の撮影時刻と、次にＬＣＤ３８により表示される画像の撮影時刻との時間間隔を示すものである。重要度は、ユーザにより予め設定された値で示されるもので、この値が大きいほど重要度が高いことを示している。
【００５８】
画像枚数は、メモリカード５２に記憶された画像情報の数を示すものである。撮影期間は、画像の撮影時刻により定まるものであり、例えば、メモリカード５２に記憶された画像情報が示す撮影時刻のうち、一番古い撮影時刻が９月３日０時０分で、一番新しい撮影時刻が９月４日１２時０分の場合、撮影期間は３６時間となる。平均撮影時間は、撮影時刻により定まる複数の画像情報が撮影された間隔の平均時間を示すものである。
【００５９】
なお、図３に示されるように、複数の画像情報はフォルダによりグループ分けされている場合、画像関連情報はフォルダのグループ毎に定められた情報である。すなわち、上記撮影間隔、重要度、画像枚数、撮影期間、平均撮影時間は、同一のフォルダに属する画像情報のみで定まるものとする。通常、ユーザは、撮影した画像をイベント毎にフォルダにグループ分けしていることが多いため、フォルダ毎に画像関連情報が定まっていることは非常に有効である。なお、同図では、重要度が「高」「低」などと表現されているが、もちろんこれらはデジタルカメラ１０の内部では数値として処理されるものである。
【００６０】
以下、フローチャートを用いて本実施の形態に係るコマ送りを行う画像表示処理について、図４を用いて説明する。この画像表示処理で表示される画像は、被写体を撮影して得られた画像を示すとともに、該被写体を撮影した撮影時刻を示す画像情報が示すものであり、その画像情報は、例えば上記メモリカード５２に記憶された画像情報である。また、コマ送り処理は、上述した操作部５６で、ユーザにより予め定められた操作が行われた際に実行されるものとする。更に、後述するスキップボタン及び停止ボタンは、上記操作部５６の予め定められたボタンに対応するものとする。なお、このスキップボタンは、ＬＣＤ３８による画像の表示中に、当該画像の表示を中止して、次に表示する画像をＬＣＤ３８により表示させる制御を行うスキップ処理の実行を指示するユーザからの入力を受け付けるものである。
【００６１】
また、メモリカード５２に記憶された画像情報が示す画像を表示するのは、上記ＬＣＤ３８である。更に、以下のフローチャートは、ＣＰＵ４０により実行される処理を示すものである。
【００６２】
以上を踏まえ、図３に示される画像表示処理について説明する。まず、ステップ１０１で後述する初期化処理を行う。本実施の形態に係るコマ送り処理は、画像情報に関連する画像関連情報に基づき画像毎に表示する表示時間を決定するが、この初期化処理では、画像関連情報に応じた処理が行われる。
【００６３】
次のステップ１０２で、画像を表示する。そして、ステップ１０３で、後述する表示時間取得処理を行う。このステップ１０３では、上記ステップ１０２で表示された画像を表示する時間である表示時間Ｔｄが取得される。
【００６４】
次のステップ１０４で、上記表示時間Ｔｄだけ時間が経過したか否か判断し、肯定判断した場合には、ステップ１０７で、後述する次画像判断処理を行い、ステップ１０８で次画像があるか否かを判断する。次画像がない場合には、コマ送り処理を終了する。一方、ステップ１０８で肯定判断した場合には、ステップ１０２の処理で次画像を表示する。
【００６５】
一方、ステップ１０４で否定判断した場合には、ステップ１０５でスキップボタンが押下されたか否か判断する。
【００６６】
このステップ１０５で肯定判断した場合には、上記ステップ１０７に処理が進む。ステップ１０５で否定判断した場合には、ステップ１０６で停止ボタンが押下されたか否かを判断する。
【００６７】
ステップ１０６で肯定判断した場合には、コマ送り処理を停止し、ステップ１０６で否定判断した場合には、ステップ１０４に再び戻る。
【００６８】
コマ送り処理が停止されると、ＬＣＤ３８は、停止された時点での画像が表示された状態となる。
【００６９】
次に、図５のフローチャートを用いて上記初期化処理（図４：ステップ１０１）について説明する。なお、このフローチャートに記載された「撮影間隔」、「重要度」、「画像枚数」、「撮影期間」、及び「平均撮影時間」は、上記画像関連情報のうち、表示時間を決定するための画像関連情報として、いずれを用いるかを示すものであり、ユーザにより予め設定されている。
【００７０】
まず、ステップ２０１で、表示時間を決定するための画像関連情報として撮影間隔を用いるか否か判断する。ステップ２０１で肯定判断した場合には、画像が表示される度に表示時間を決定することとなるため、このフローチャートでは何もせずに終了する。
【００７１】
一方、ステップ２０１で否定判断した場合には、ステップ２０２で、表示時間を決定するための画像関連情報として重要度を用いるか否か判断する。ステップ２０２で肯定判断した場合には、ステップ２０６で重要度処理が行われ、処理を終了する。
【００７２】
一方、ステップ２０２で否定判断した場合には、ステップ２０３で、表示時間を決定するための画像関連情報として画像枚数を用いるか否か判断する。ステップ２０３で肯定判断した場合には、ステップ２０７で画像枚数処理が行われ、処理を終了する。
【００７３】
一方、ステップ２０３で否定判断した場合には、ステップ２０４で、表示時間を決定するための画像関連情報として撮影期間を用いるか否か判断する。ステップ２０４で肯定判断した場合には、ステップ２０８で撮影期間処理が行われ、処理を終了する。
【００７４】
一方、ステップ２０４で否定判断した場合には、ステップ２０５で、表示時間を決定するための画像関連情報として平均撮影時間を用いるか否か判断する。ステップ２０５で肯定判断した場合には、ステップ２０９で平均撮影処理が行われ、処理を終了する。一方、ステップ２０５で否定判断した場合には、そのまま処理を終了するが、撮影間隔、重要度、画像枚数、撮影期間、平均撮影時間のみを用いている本実施の形態において、ステップ２０５での否定判断は実質的にされないものである。
【００７５】
上記図５で示した各処理について説明に先立ち、これらの処理で用いられるグラフについて、図６を用いて説明する。同図（Ａ）は重要度と表示時間の関係を示すグラフである。同図（Ｂ）は画像枚数と表示時間の関係を示すグラフである。同図（Ｃ）は撮影期間と表示時間の関係を示すグラフである。同図（Ｄ）は平均撮影期間と表示時間の関係を示すグラフである。
【００７６】
同図にしめされるグラフのうち、同図（Ａ）、（Ｄ）のグラフは単調増加であり、同図（Ｂ）、（Ｃ）のグラフは単調減少である。従って、同図（Ａ）は、重要度処理では、重要度が高いほど表示時間を長くするように決定することを示している。
【００７７】
また、同図（Ｂ）は、画像枚数処理では、画像情報の数が多いほど表示時間を短くするように決定することを示している。これにより、長時間に渡り延々と表示されることを抑制することが可能となる。
【００７８】
また、同図（Ｃ）は、撮影期間処理では、撮影期間が長いほど表示時間を短くするように決定することを示している。同図（Ｄ）は、平均撮影時間（平均時間）が長いほど、表示時間を長くするように決定することが示されている。
【００７９】
これらのグラフは関数或いはテーブルとしてメモリ４８に記憶されている。ＣＰＵ４０は、それらを用いて重要度処理、画像枚数処理、撮影期間処理、平均撮影処理を行う。
【００８０】
以下、上記各処理について説明する。まず、重要度処理を、図７のフローチャートを用いて説明する。まず、ステップ３０１で、表示する画像の重要度Ｘを取得する。これは、画像情報に含まれる重要度を示す情報から取得することができる。次のステップ３０２で、重要度Ｘより表示時間Ｔｄを取得する。これは上述した関数或いはテーブルにより取得することができる。
【００８１】
次に、画像枚数処理を、図８のフローチャートを用いて説明する。まず、ステップ４０１で、画像枚数Ｘを取得する。この画像枚数は、表示する画像情報が記憶されたルートに存在する画像枚数であり、特にフォルダによりグループ分けされている場合には、そのフォルダ内の画像枚数である。次のステップ４０２で、画像枚数Ｘより表示時間Ｔｄを取得する。これは上述した関数或いはテーブルにより取得することができる。
【００８２】
次に、撮影期間処理を、図９のフローチャートを用いて説明する。まず、ステップ５０１で、撮影期間Ｘを取得する。この撮影期間の取得方法は、上述したとおりである。次のステップ５０２で、撮影期間Ｘより表示時間Ｔｄを取得する。これは上述した関数或いはテーブルにより取得することができる。
【００８３】
次に、平均撮影処理を、図１０のフローチャートを用いて説明する。まず、ステップ６０１で、平均撮影時間Ｘを取得する。この平均撮影時間の取得方法は、上述したとおりである。次のステップ６０２で、平均撮影時間Ｘより表示時間Ｔｄを取得する。これは上述した関数或いはテーブルにより取得することができる。
【００８４】
以上が初期化処理（図５）で行われる各処理である。次に、表示時間取得処理（図４：ステップ１０３）について、図１１を用いて説明する。まず、ステップ７０１で、表示時間を決定するための画像関連情報として撮影間隔を用いているか否か判断する。撮影間隔以外の画像関連情報を用いる場合は、初期化処理により既に表示時間は取得されているので、ステップ７０１で否定判断した場合には処理を終了する。一方、ステップ７０１で肯定判断した場合には、ステップ７０２で撮影間隔処理を行い、処理を終了する。
【００８５】
この撮影間隔処理の説明に先立ち、撮影間隔処理で用いられるグラフについて、図１２を用いて説明する。
【００８６】
同図（Ａ）、（Ｂ）、（Ｃ）は、いずれも撮影間隔処理で用いられるグラフを示している。これらの図に示されるように、撮影間隔処理では、撮影間隔（時間間隔）が長いほど、表示時間を長くするように決定する。
【００８７】
なお、同図（Ａ）は標準的な表示時間を示すグラフであるが、同図（Ｂ）、（Ｃ）に示されるように、表示時間を長くしたり短くしたりするようにしても良い。同図（Ｂ）は、例えば、表示する複数の画像が撮影された期間が１００時間など長い場合に好適である。１００時間など長い期間の場合には、それだけ多くの画像を撮影している可能性も高いため、短めに表示することで、ユーザは時間をかけすぎずに画像をコマ送りすることができる。
【００８８】
一方、同図（Ｃ）は、例えば、表示する複数の画像が撮影された期間が５０時間など短い場合に好適である。５０時間など短い期間の場合には、撮影された画像はさほど多くない可能性も高いため、長めに表示することで、ユーザはじっくりと閲覧しながら画像をコマ送りすることができる。
【００８９】
いずれのグラフを用いた場合でも、コマ送り表示中にユーザが所望の画像か否かを見分けることを容易にするとともに、ユーザが所望の画像でコマ送り表示を停止することを容易にすることができる。
【００９０】
また、同図に示されるグラフは関数或いはテーブルとしてメモリ４８に記憶されている。ＣＰＵ４０は、これらを用いて撮影間隔処理を行う。
【００９１】
これらを踏まえ、図１３のフローチャートを用いて、撮影間隔処理について説明する。まず、ステップ８０１で、表示されている画像の撮影時刻を取得する。この撮影時刻は画像情報に含まれる情報であり、画像関連情報でもある。
【００９２】
次のステップ８０２で、次に表示する画像の撮影時刻を取得し、ステップ８０３で、時間間隔ＴにＴ２−Ｔ１（時間間隔）を代入する。
【００９３】
これにより時間間隔Ｔが得られたので、ステップ８０４で、時間間隔Ｔより表示時間Ｔｄを取得し、処理を終了する。表示時間Ｔｄは上述した関数或いはテーブルにより取得することができる。
【００９４】
図１４は、実際の表示時間例を示す図である。同図には、画像番号、ファイル名、時間間隔、及び表示時間が示されている。画像番号は、コマ送りされる画像の順番を示している。ファイル名は画像情報の名称を示している。時間間隔は、表示されている画像の撮影時刻と、次に表示される画像の撮影時刻との間隔を示している。表示時間は、上記図１２で示したグラフにより得られた表示時間を示している。
【００９５】
同図には、時間間隔が長いほど、表示時間を長くするように決定していることが示されている。なお、最後の画像である画像番号１３の画像は、次に表示する画像は存在しないため、時間間隔も存在せず、その場合の表示時間は予め定められた定数となっている。
【００９６】
次に、次画像判断処理（ステップ１０７）について、図１５のフローチャートを用いて説明する。まず、ステップ９０１で、ルートに次画像があるか否か判断する。このルートとは、今まで表示してきた画像情報が記憶されている場所を示している。
【００９７】
ステップ９０１で否定判断した場合には、ステップ９０５で他フォルダに画像情報があるか否か判断する。他フォルダに画像情報がある場合には、ステップ９０２に処理が進む。一方、ステップ９０５で否定判断した場合には、ステップ９０６で、次画像なしを返し、処理を終了する。
【００９８】
ステップ９０１に戻り、このステップ９０１で肯定判断した場合には、ステップ９０２で表示時間を決定するための画像関連情報として重要度を用いているか否か判断する。
【００９９】
ステップ９０２で肯定判断した場合には、ステップ９０３で重要度処理（図７）を行い、ステップ９０４で次画像ありを返し、処理を終了する。また、ステップ９０２で否定判断した場合にもステップ９０４で次画像ありを返し、処理を終了する。
【０１００】
以上説明した各フローチャートが図４で説明した表示処理の説明である。なお、上述した図６、図１２で示されたグラフのほとんどは、非線形のグラフであったが、これらのグラフと同一の性質（単調減少、或いは単調増加）を有するグラフであれば、線形のグラフであっても構わない。線形のグラフとして、例えば表示時間Ｔｄ（秒）＝撮影間隔（秒）／１００といった例が挙げられる。
【０１０１】
更に、各グラフは原点から描かれたものとなっているが、必ずしも原点を通るグラフでなくとも良い。
【０１０２】
また、図４のステップ１０５におけるスキップボタンの押下に関連し、図１６に示されるように、スキップ処理の存在をＬＣＤ３８によりユーザに明示するようにしても良い。
【０１０３】
以上説明したように、本実施の形態に係る画像表示装置、画像表示方法では、所望の画像を見つけやすくしながらも、見過ごしを防ぐことができる。更に、画像毎に表示時間を変えることにより、撮影時の臨場感をコマ送り時に再現することができ、ユーザに撮影時の出来事をより鮮明に思い出させることができる。また、ユーザにより画像をスキップさせることも可能であるので、利便性を高めることができる。また、重要度等の画像関連情報により表示時間も変わるため、更に使い勝手が良いものとなっている。そして、撮影した当時の大体の時間間隔を撮影者は覚えていることが多いため、時間間隔により表示時間を変えることで、ユーザは所望の画像が表示されるタイミングを予測することが可能となる。
【０１０４】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【０１０５】
【図１】デジタルカメラの外観上の構成を示す図である。
【図２】デジタルカメラの電気系の構成を示す図である。
【図３】複数の画像情報がグループ化されたフォルダを示す図である。
【図４】表示処理を示すフローチャートである。
【図５】初期化処理を示すフローチャートである。
【図６】表示時間と画像関連情報との関係を示す図である。
【図７】重要度処理を示すフローチャートである。
【図８】画像枚数処理を示すフローチャートである。
【図９】撮影期間処理を示すフローチャートである。
【図１０】平均撮影処理を示すフローチャートである。
【図１１】表示時間取得処理を示すフローチャートである。
【図１２】表示時間と撮影間隔との関係を示す図である。
【図１３】撮影期間処理を示すフローチャートである。
【図１４】表示時間例を示す図である。
【図１５】次画像判断処理を示すフローチャートである。
【図１６】スキップ処理の存在を明示したＬＣＤを示す図である。
【符号の説明】
【０１０６】
１０  デジタルカメラ
２６  アナログ信号処理部
３０  デジタル信号処理部
３２  タイミングジェネレータ
３６  ＬＣＤインタフェース
３８  ＬＣＤ
４０  ＣＰＵ
４６  メモリインタフェース
４８  メモリ
５０  外部メモリインタフェース
５２  メモリカード
５６  操作部
【図１】
2009088578.tif 000003
【図２】
2009088578.tif 000004
【図３】
2009088578.tif 000005
【図４】
2009088578.tif 000006
【図５】
2009088578.tif 000007
【図６】
2009088578.tif 000008
【図７】
2009088578.tif 000009
【図８】
2009088578.tif 000010
【図９】
2009088578.tif 000011
【図１０】
2009088578.tif 000012
【図１１】
2009088578.tif 000013
【図１２】
2009088578.tif 000014
【図１３】
2009088578.tif 000015
【図１４】
2009088578.tif 000016
【図１５】
2009088578.tif 000017
【図１６】
2009088578.tif 000018